(57)【特許請求の範囲】
【請求項１】
エレベータに接続した端末装置と通信回線を介して運行状態表示装置を接続し、この運行状態表示装置は少なくとも表示部と、上記エレベータに対応する端末装置機種名を記憶した記憶部を有して構成し、上記エレベータに対応する上記端末装置から運行状態情報を取得して上記表示部に表示するようにしたエレベータ端末装置の接続確認方法において、上記運行状態表示装置の上記記憶部に、上記エレベータの機種名と、このエレベータの機種名に適合する上記端末装置の機種名の組み合わせを記憶し、上記運行状態表示装置に上記エレベータの特定符号と、このエレベータの上記端末装置の電話番号と、このエレベータの機種名とを関連させて記憶させた外部の記憶装置を接続し、上記運行状態表示装置は、上記エレベータの特定符号を入力したとき、この特定符号に基づいて上記記憶装置に記憶した上記端末装置の電話番号および上記エレベータの機種名とを取得すると共に、上記運行状態表示装置の上記記憶部から上記エレベータの機種名に対応する上記端末装置機種名を取得し、上記電話番号によって上記通信回線を介して上記端末装置の上記記憶部から自己の上記機種名を取得し、上記端末装置機種名と上記機種名を比較して、上記端末装置が上記エレベータに適合するかを判断するようにしたことを特徴とするエレベータ端末装置の接続確認方法。
【請求項２】
請求項１記載のものにおいて、上記エレベータの特定符号として、上記エレベータの製造番号を用いたことを特徴とするエレベータ端末装置の接続確認方法。
【発明の詳細な説明】
【０００１】
【発明の属する技術分野】
本発明は、エレベータの運行状態に対応する信号を出力する端末装置が、そのエレベータの機種に適合するかどうかを確認するエレベータ端末装置の接続確認方法に関する。
【０００２】
【従来の技術】
従来のエレベータ遠隔監視装置は、図３のブロック図に示すように複数台のエレベータ１ａ〜１ｎにそれぞれエレベータの運行状態に対応する信号を出力する端末装置２ａ〜２ｎが接続され、これら端末装置２ａ〜２ｎに公衆回線１２を介してエレベータの運行状態を表示する運行状態表示装置４を接続して構成されている。この運行状態表示装置４は、通信処理を行なう通信部５と、様々な情報を記憶する記憶部６と、運行状態表示装置４の操作や必要事項の入力を行なう入力部８と、エレベータの運行状態等を表示する表示部９と、エレベータの運行状態等を印字する印字部１０と、運行状態表示装置４の制御を行なう制御部７とで構成されており、制御部７は確認するエレベータの様々な情報、例えばエレベータが設置されているビル名やエレベータの機種等の情報が格納されている外部の記憶装置１１とも接続されている。
【０００３】
エレベータ１ａ〜１ｎには、例えば図５に示すようにＡという機種名２０があり、この機種名２０に対応して使用できる端末装置の機種名２１はａと決まっており、これらエレベータ機種名と端末装置機種名の対応関係を記憶部６に予め記憶している。また、記憶装置１１には運行状態を表示するエレベータの様々な情報が記憶されており、例えば図４に示すように製造番号２２、顧客ビル名２３、端末装置電話番号２４およびエレベータ機種名２０などが記憶されている。
【０００４】
エレベータの運行状態を表示する手順は図６のフローチャートに示すように、先ず、ステップＳ１１で運行状態を表示するエレベータ１ａの特定符号としての製造番号を入力部８から入力すると、ステップＳ１２で制御部７は入力された特定符号をもとに記憶装置１１を検索して、該当するエレベータ１ａの情報、例えば図４に示したエレベータ機種名２０と、端末装置２ａの電話番号２２を取得する。その後、ステップＳ１３で、取得したエレベータ機種名２０をもとに記憶部６を参照して、図５に示した端末装置２ａの機種名２１を取得する。続いてステップＳ１４では、上述のステップＳ１２で取得した端末装置２ａの電話番号２２に電話をかけて、その端末装置２ａと接続する。次にステップＳ１５では、端末装置２ａから運行状態信号を取得すると共に、ステップＳ１３で取得した端末装置の機種名２１をもとに端末装置２ａから取得した運行状態信号を翻訳し、表示部９に表示する。
【０００５】
【発明が解決しようとする課題】
しかしながら、上述した従来のエレベータ遠隔監視装置は、エレベータ１ａに取り付ける端末装置２ａの機種を間違えた場合、例えば端末装置２ａとしてａという機種名２１のものを取り付けなければならないところに、ｂという機種名の端末装置を取り付けたとすると、図６のステップＳ１３では記憶部６からａという機種名２１に対応するデータを取得し、ステップＳ１５ではｂという機種名の端末装置から運行状態情報を取得することになり、記憶部６から取得したａという機種名２１のデータをもとに制御部７で翻訳し、表示部９に表示することになり、間違った運行状態を表示部９に表示してエレベータの運行状態を正確に管理できなくなってしまう。
【０００６】
本発明の目的は、エレベータの運行状態を正確に管理することができるようにしたエレベータ端末装置の接続確認方法を提供することにある。
【０００７】
【課題を解決するための手段】
本発明は上記目的を達成するために、エレベータに接続した端末装置と通信回線を介して運行状態表示装置を接続し、この運行状態表示装置は少なくとも表示部と、上記エレベータに対応する端末装置機種名を記憶した記憶部を有して構成し、上記エレベータに対応する上記端末装置から運行状態情報を取得して上記表示部に表示するようにしたエレベータ端末装置の接続確認方法において、上記運行状態表示装置の上記記憶部に、上記エレベータの機種名と、このエレベータの機種名に適合する上記端末装置の機種名の組み合わせを記憶し、上記運行状態表示装置に上記エレベータの特定符号と、このエレベータの上記端末装置の電話番号と、このエレベータの機種名とを関連させて記憶させた外部の記憶装置を接続し、上記運行状態表示装置は、上記エレベータの特定符号を入力したとき、この特定符号に基づいて上記記憶装置に記憶した上記端末装置の電話番号および上記エレベータの機種名とを取得すると共に、上記運行状態表示装置の上記記憶部から上記エレベータの機種名に対応する上記端末装置機種名を取得し、上記電話番号によって上記通信回線を介して上記端末装置の上記記憶部から自己の上記機種名を取得し、上記端末装置機種名と上記機種名を比較して、上記端末装置が上記エレベータに適合するかを判断するようにしたことを特徴とする。
【０００８】
上述したように本発明のエレベータ端末装置の接続確認方法は、エレベータの端末装置に自己の機種名を記憶した記憶部を設け、エレベータに対応して運行状態表示装置の記憶部から取得した端末装置機種名と、端末装置の記憶部から取得した機種名とを比較するようにしたため、間違った機種の端末装置が接続されているかどうかを簡単に確認することができ、保守員が直ちに現場に行って本来の端末装置に取替える作業を実施することができ、運行状態表示装置によって常に正確なエレベータの運行状態を管理することができる。
【０００９】
【発明の実施の形態】
以下、本発明の実施の形態を図面によって説明する。
図１は本発明の一実施の形態によるエレベータ端末装置の接続確認方法を採用したエレベータ遠隔監視装置のブロック図である。
複数台のエレベータ１ａ〜１ｎにそれぞれエレベータの運行状態に対応する信号を出力する端末装置２ａ〜２ｎが接続され、これら端末装置２ａ〜２ｎに公衆回線等の通信回線１２を介してエレベータの運行状態を表示する運行状態表示装置４を接続して構成されている。各端末装置２ａ〜２ｎには、それぞれ自己の機種名を記憶する記憶部３ａ〜３ｎを設けている。運行状態表示装置４は、通信処理を行なう通信部５と、様々な情報を記憶する記憶部６と、運行状態表示装置４の操作や必要事項の入力を行なう入力部８と、エレベータの運行状態等を表示する表示部９と、エレベータの運行状態等を印字する印字部１０と、運行状態表示装置４の制御を行なう制御部７とで構成されており、制御部７は確認するエレベータの様々な情報、例えばエレベータが設置されているビル名やエレベータの機種等の情報が格納されている外部の記憶装置１１とも接続されている。
【００１０】
各エレベータ１ａ〜１ｎには、例えば図５に示すようにＡという機種名２０があり、この機種名２０に対応して使用できる端末装置の機種名２１はａと決まっており、これらエレベータ機種名と端末装置機種名の対応関係を記憶部６に予め記憶している。また、記憶装置１１には運行状態を表示するエレベータの様々な情報が記憶されており、例えば、図４に示すように製造番号２２、顧客ビル名２３、端末装置電話番号２４およびエレベータ機種名２０などが記憶されている。
【００１１】
次に、上述したエレベータ遠隔監視装置によってエレベータの運行状態を表示する手順を図２に示すフローチャートを用いて説明する。
先ず、ステップＳ１で運行状態を表示するエレベータ１ａの特定符号である製造番号を運行状態表示装置４の入力部８から入力すると、制御部７はステップＳ２として先に入力した特定符号をもとに記憶装置１１を検索し、対応する情報、例えば図４に示したエレベータ機種名２０と、端末装置２ａの電話番号２４を取得する。次いでステップＳ３では、運行状態表示装置４の記憶部６から図５に示したようなエレベータ機種名２０に対応する端末装置機種名２１を読み出しておく。
【００１２】
続くステップＳ４で制御部７は、先のステップＳ２で取得した端末装置２ａの電話番号２４に通信部５および通信回線１２を介して電話をかけて端末装置２ａと接続し、ステップＳ５で、接続したその端末装置２ａに対して機種名を問い合わせると、端末装置２ａはその記憶部３ａから自己の機種名を読み出して運行状態表示装置４の制御部７に出力する。これを受けた制御部７は、ステップＳ６で端末装置２ａから取得したその機種名と、ステップＳ３で記憶部６から取得した端末装置機種名２１とを比較し、一致するかどうかを判定する。この説明から分かるように制御部７は、端末装置２ａから取得したその機種名と、記憶部６から取得した端末装置機種名２１とを比較して一致するかどうかを判定する判定手段を有している。
【００１３】
この判定手段による判定で両者の機種名が一致した場合、ステップＳ７で、引き続き端末装置２ａから運行状態信号を取得し、ステップＳ３で記憶部６から取得した端末装置機種名２１をもとにこの運行状態信号を翻訳し、これを表示部９に表示する。一方、ステップＳ６に示した判定手段による判定で、端末装置２ａから受信したその機種名と、ステップＳ３で記憶部６から取得した端末装置機種名２１とが一致しなかった場合、ステップＳ８として、接続した端末装置２ａとの回線を切断すると共に、ステップＳ９で一致しなかった内容、例えば、端末装置２ａから受信した機種名と、ステップＳ３で記憶部６から取得した端末装置機種名２１とを表示部９に表示し、運行状態表示装置４の操作者に間違った端末装置が接続されていることを通知するエラー表示を行なう。
【００１４】
このように記憶部６から特定符号のエレベータに対応する端末装置機種名を取得し、この端末装置機種名と、端末装置２ａの記憶部３ａから受信したその機種名とを比較する比較手段を設けているため、特定符号のエレベータに接続されている端末装置が、正しく適合する機種であるかどうかを簡単に判定することができ、間違った端末装置が接続されていると分かった場合には、保守員が直ちに現場に行って本来の端末装置に取り替える作業を実施し、常にエレベータの運行状態を正確に管理することができる。また、エレベータの特定符号として、エレベータの製造番号を用いているため管理が容易で、運行状態を確認するエレベータをすばやくかつ間違いなく特定することができる。
【００１５】
なお、上述の実施の形態では、エレベータの特定符号としてエレベータの製造番号を用いたが、これに類する番号や記号等を用いても良い。
【００１６】
【発明の効果】
以上説明したように本発明によるエレベータ端末装置の接続確認方法は、エレベータの端末装置に自己の機種名を記憶する記憶部を設け、この記憶部から受信したその機種名と、運行状態表示装置の記憶部から取得した端末装置機種名とを比較して、そのエレベータに接続されている端末装置が正しく適合するものであるかどうかを判定するようにしたため、端末装置の機種が適切かどうかを簡単に判別することができ、エレベータの運行状態を正確に管理することができるようになる。
【図面の簡単な説明】
【図１】本発明の一実施の形態によるエレベータ端末装置の接続確認方法を採用したエレベータ遠隔監視装置のブロック構成図である。
【図２】図１に示したエレベータ遠隔監視装置によるエレベータ端末装置の接続確認方法を示すフローチャートである。
【図３】従来のエレベータ遠隔監視装置のブロック構成図である。
【図４】図３に示したエレベータ遠隔監視装置における記憶装置に記憶されている記憶事項の平面図である。
【図５】図３に示したエレベータ遠隔監視装置の記憶部に記憶させている記憶事項の平面図である。
【図６】図３に示したエレベータ遠隔監視装置による表示手順を示すフローチャートである。
【符号の説明】
２ａ〜２ｎ  端末装置
３ａ〜３ｎ  記憶部
４  運行状態表示装置
６  記憶部
７  制御部
９  表示部
１２  通信回線
【図１】
0003657831.tif 000002
【図２】
0003657831.tif 000003
【図３】
0003657831.tif 000004
【図４】
0003657831.tif 000005
【図５】
0003657831.tif 000006
【図６】
0003657831.tif 000007